(57)【要約】【課題】無接点電力伝送を用いて二次電池を充電する電子機器において、意図しないシャットダウン解除を防ぐことが可能な制御装置、受電装置、電子機器、無接点電力伝送システム及び制御方法を提供すること。【解決手段】制御装置５０は、送電装置１０から受電した電力に基づいて充電対象の充電を行う充電系回路６０と、充電対象からの電力に基づいて動作すると共に、充電対象からの電力に基づいて処理装置１００への給電を行う放電系回路７０と、を含む。充電系回路６０は、充電系回路６０が受電した電力に基づき動作する充電系制御回路６３を有する。充電系制御回路６３は、受電装置４０が送電装置１０に着地した後に送電装置１０から送信されるシャットダウン解除通知を受信し、そのシャットダウン解除通知に基づいて、充電対象からの放電を停止した状態であるシャットダウン状態を解除する。【選択図】      図３
2019170063.tif 000002
【特許請求の範囲】
【請求項１】
送電装置から無接点電力伝送で供給された電力を受電する受電装置を制御する制御装置であって、
前記送電装置から供給された電力を受電し、受電した電力に基づいて充電対象の充電を行う充電系回路と、
前記充電対象からの電力に基づいて動作すると共に、前記充電対象からの電力に基づいて処理装置への給電を行う放電系回路と、
を含み、
前記充電系回路は、
前記充電系回路が受電した電力に基づき動作する充電系制御回路を有し、
前記充電系制御回路は、
前記受電装置が前記送電装置に着地した後に前記送電装置から送信されるシャットダウン解除通知を受信し、前記シャットダウン解除通知に基づいて、前記充電対象からの放電を停止した状態であるシャットダウン状態を解除することを特徴とする制御装置。
【請求項２】
請求項１において、
前記充電系回路は、
前記受電装置が前記送電装置に着地した後に、前記送電装置に対して認証情報を送信する通信回路を有し、
前記充電系制御回路は、
前記送電装置が前記認証情報の受信後に送信した前記シャットダウン解除通知を受信することを特徴とする制御装置。
【請求項３】
請求項２において、
前記充電系制御回路は、
前記送電装置が前記認証情報の受信後に送信した充電開始通知を受信したときに、前記充電開始通知を前記シャットダウン解除通知として前記シャットダウン状態を解除し、前記充電対象に対する充電を開始する制御を行うことを特徴とする制御装置。
【請求項４】
請求項１乃至３のいずれかにおいて、
前記充電系回路は、
前記充電対象の電圧を測定する測定回路を有し、
前記充電系制御回路は、
前記シャットダウン解除通知を受信し、且つ前記測定回路により測定された前記充電対象の電圧が、過放電状態に対応したしきい値電圧より高いときに、前記シャットダウン状態を解除することを特徴とする制御装置。
【請求項５】
請求項４において、
前記放電系回路は、
前記充電対象の電圧と、前記充電対象の過放電を検出する過放電検出電圧とを比較することで、前記充電対象の前記過放電状態を検出する過放電検出回路と、
前記充電対象からの電力に基づいて動作する放電系制御回路と、
を有し、
前記放電系制御回路は、
前記過放電検出回路が前記過放電状態を検出したときに前記放電系回路を前記シャットダウン状態に設定し、
前記しきい値電圧は、前記過放電検出電圧よりも高い電圧であることを特徴とする制御装置。
【請求項６】
請求項１乃至４のいずれかにおいて、
前記放電系回路は、
前記処理装置との間の通信を行うインターフェース回路と、
前記充電対象の電圧と過放電検出電圧とを比較することで、前記充電対象の過放電状態を検出する過放電検出回路と、
前記充電対象からの電力に基づいて動作する放電系制御回路と、
を有し、
前記放電系制御回路は、
前記インターフェース回路が前記処理装置からシャットダウンコマンドを受信したとき、又は前記充電系制御回路が前記送電装置からシャットダウンコマンドを受信したとき、又は前記過放電検出回路が前記過放電状態を検出したときに、前記放電系回路を前記シャットダウン状態に設定することを特徴とする制御装置。
【請求項７】
送電装置から無接点電力伝送で供給された電力を受電する受電装置を制御する制御装置であって、
前記送電装置から供給された電力を受電し、受電した電力に基づいて充電対象の充電を行う充電系回路と、
前記充電対象からの電力に基づいて動作すると共に、前記充電対象からの電力に基づいて処理装置への給電を行う放電系回路と、
を含み、
前記充電系回路は、
前記充電中に、前記充電系回路が受電した電力に基づき動作する充電系制御回路と、
前記充電対象の電圧を測定する測定回路と、
を有し、
前記充電系制御回路は、
前記測定回路により測定された前記充電対象の電圧が、過放電状態に対応したしきい値電圧より高いときに、前記充電対象からの放電を停止した状態であるシャットダウン状態を解除することを特徴とする制御装置。
【請求項８】
請求項７において、
前記放電系回路は、
前記充電対象の電圧と過放電検出電圧とを比較することで、前記充電対象の前記過放電状態を検出する過放電検出回路と、
前記充電対象からの電力に基づいて動作する放電系制御回路と、
を有し、
前記放電系制御回路は、
前記過放電検出回路が前記過放電状態を検出したときに前記放電系回路をシャットダウン状態に設定し、
前記しきい値電圧は、前記過放電検出電圧よりも高い電圧であることを特徴とする制御装置。
【請求項９】
請求項１乃至８のいずれかに記載された制御装置を含むことを特徴とする受電装置。
【請求項１０】
請求項１乃至８のいずれかに記載された制御装置を含むことを特徴とする電子機器。
【請求項１１】
送電装置を制御する送電側の制御装置と、
前記送電装置から無接点電力伝送で供給された電力を受電する受電装置を制御する受電側の制御装置と、
を含み、
前記受電側の制御装置は、
前記送電装置から供給された電力を受電し、受電した電力に基づいて充電対象の充電を行う充電系回路と、
前記充電対象からの電力に基づいて動作すると共に、前記充電対象からの電力に基づいて処理装置への給電を行う放電系回路と、
を含み、
前記送電側の制御装置は、
前記受電装置が前記送電装置に着地したことを検出したときに、前記受電側の制御装置にシャットダウン解除通知を送信し、
前記受電側の制御装置は、
前記シャットダウン解除通知を受信したときに、前記充電対象からの放電を停止した状態であるシャットダウン状態を解除することを特徴とする無接点電力伝送システム。
【請求項１２】
送電装置を制御する送電側の制御装置と、前記送電装置から無接点電力伝送で供給された電力を受電する受電装置を制御する受電側の制御装置と、を含む無接点電力伝送システムの制御方法であって、
前記送電側の制御装置が、前記受電装置が前記送電装置に着地したことを検出したときに、前記受電側の制御装置にシャットダウン解除通知を送信し、
前記受電側の制御装置が、受信した前記シャットダウン解除通知に基づいて、充電対象からの放電を停止した状態であるシャットダウン状態を解除し、
前記受電側の制御装置が、前記送電装置から供給された電力を受電し、受電した電力に基づいて前記充電対象の充電を行い、前記充電対象からの電力に基づいて処理装置への給電を行うことを特徴とする制御方法。
【発明の詳細な説明】
【技術分野】
【０００１】
本発明は、制御装置、受電装置、電子機器、無接点電力伝送システム及び制御方法等に関する。
【背景技術】
【０００２】
近年、電磁誘導を利用し、金属部分の接点がなくても電力伝送を可能にする無接点電力伝送が脚光を浴びている。この無接点電力伝送の適用例として、例えば家庭用機器や携帯端末等の、二次電池が内蔵された電子機器への充電がある。
【０００３】
従来から、無接点電力伝送システムに限らず種々の機器に二次電池が用いられている。小型の電子機器においては、例えば充電間隔を延ばしたり、二次電池の過放電を防いだりするために、意図しない二次電池の電力消費を出来るだけ抑えることが望ましい。例えば特許文献１には、二次電池と、二次電池を管理する回路とを含むパック電池の技術が開示されている。特許文献１では、パック電池の端子が充電器又は電子機器の端子に接続されていないときは、二次電池を管理する回路をシャットダウンする。
【先行技術文献】
【特許文献】
【０００４】
【特許文献１】特開２０１１−１０９７６８号公報
【発明の概要】
【発明が解決しようとする課題】
【０００５】
上記のように、二次電池の放電を低減するためにシャットダウン機能が用いられている。二次電池を内蔵した電子機器を出荷又は保管するときや、二次電池の過放電が検出されたとき等に、二次電池からの電力で動作する回路をシャットダウン状態に設定することが想定される。シャットダウン状態が、本来の解除条件を満たさないにも関わらず解除されると、電子機器を使用する際に電池残量が不足したり、二次電池の過放電状態から更に放電が行われたりする。無接点電力伝送を用いて二次電池を充電する電子機器においては、例えばコイルに対する不要電波の入射や、無接点電力伝送のシーケンス等によって、意図しないシャットダウン解除が行われる可能性がある。
【課題を解決するための手段】
【０００６】
本発明の一態様は、送電装置から無接点電力伝送で供給された電力を受電する受電装置を制御する制御装置であって、前記送電装置から供給された電力を受電し、受電した電力に基づいて充電対象の充電を行う充電系回路と、前記充電対象からの電力に基づいて動作すると共に、前記充電対象からの電力に基づいて処理装置への給電を行う放電系回路と、を含み、前記充電系回路は、前記充電系回路が受電した電力に基づき動作する充電系制御回路を有し、前記充電系制御回路は、前記受電装置が前記送電装置に着地した後に前記送電装置から送信されるシャットダウン解除通知を受信し、前記シャットダウン解除通知に基づいて、前記充電対象からの放電を停止した状態であるシャットダウン状態を解除する制御装置に関係する。
【０００７】
また本発明の一態様では、前記充電系回路は、前記受電装置が前記送電装置に着地した後に、前記送電装置に対して認証情報を送信する通信回路を有し、前記充電系制御回路は、前記送電装置が前記認証情報の受信後に送信した前記シャットダウン解除通知を受信してもよい。
【０００８】
また本発明の一態様では、前記充電系制御回路は、前記送電装置が前記認証情報の受信後に送信した充電開始通知を受信したときに、前記充電開始通知を前記シャットダウン解除通知として前記シャットダウン状態を解除し、前記充電対象に対する充電を開始する制御を行ってもよい。
【０００９】
また本発明の一態様では、前記充電系回路は、前記充電対象の電圧を測定する測定回路を有し、前記充電系制御回路は、前記シャットダウン解除通知を受信し、且つ前記測定回路により測定された前記充電対象の電圧が、過放電状態に対応したしきい値電圧より高いときに、前記シャットダウン状態を解除してもよい。
【００１０】
また本発明の一態様では、前記放電系回路は、前記充電対象の電圧と、前記充電対象の過放電を検出する過放電検出電圧とを比較することで、前記充電対象の前記過放電状態を検出する過放電検出回路と、前記充電対象からの電力に基づいて動作する放電系制御回路と、を有し、前記放電系制御回路は、前記過放電検出回路が前記過放電状態を検出したときに前記放電系回路を前記シャットダウン状態に設定し、前記しきい値電圧は、前記過放電検出電圧よりも高い電圧であってもよい。
【００１１】
また本発明の一態様では、前記放電系回路は、前記処理装置との間の通信を行うインターフェース回路と、前記充電対象の電圧と過放電検出電圧とを比較することで、前記充電対象の過放電状態を検出する過放電検出回路と、前記充電対象からの電力に基づいて動作する放電系制御回路と、を有し、前記放電系制御回路は、前記インターフェース回路が前記処理装置からシャットダウンコマンドを受信したとき、又は前記充電系制御回路が前記送電装置からシャットダウンコマンドを受信したとき、又は前記過放電検出回路が前記過放電状態を検出したときに、前記放電系回路を前記シャットダウン状態に設定してもよい。
【００１２】
また本発明の他の態様は、送電装置から無接点電力伝送で供給された電力を受電する受電装置を制御する制御装置であって、前記送電装置から供給された電力を受電し、受電した電力に基づいて充電対象の充電を行う充電系回路と、前記充電対象からの電力に基づいて動作すると共に、前記充電対象からの電力に基づいて処理装置への給電を行う放電系回路と、を含み、前記充電系回路は、前記充電中に、前記充電系回路が受電した電力に基づき動作する充電系制御回路と、前記充電対象の電圧を測定する測定回路と、を有し、前記充電系制御回路は、前記測定回路により測定された前記充電対象の電圧が、過放電状態に対応したしきい値電圧より高いときに、前記充電対象からの放電を停止した状態であるシャットダウン状態を解除する制御装置に関係する。
【００１３】
また本発明の他の態様では、前記放電系回路は、前記充電対象の電圧と過放電検出電圧とを比較することで、前記充電対象の前記過放電状態を検出する過放電検出回路と、前記充電対象からの電力に基づいて動作する放電系制御回路と、を有し、前記放電系制御回路は、前記過放電検出回路が前記過放電状態を検出したときに前記放電系回路をシャットダウン状態に設定し、前記しきい値電圧は、前記過放電検出電圧よりも高い電圧であってもよい。
【００１４】
また本発明の更に他の態様は、上記のいずれかに記載された制御装置を含む受電装置に関係する。
【００１５】
また本発明の更に他の態様は、上記のいずれかに記載された制御装置を含む電子機器に関係する。
【００１６】
また本発明の更に他の態様は、送電装置を制御する送電側の制御装置と、前記送電装置から無接点電力伝送で供給された電力を受電する受電装置を制御する受電側の制御装置と、を含み、前記受電側の制御装置は、前記送電装置から供給された電力を受電し、受電した電力に基づいて充電対象の充電を行う充電系回路と、前記充電対象からの電力に基づいて動作すると共に、前記充電対象からの電力に基づいて処理装置への給電を行う放電系回路と、を含み、前記送電側の制御装置は、前記受電装置が前記送電装置に着地したことを検出したときに、前記受電側の制御装置にシャットダウン解除通知を送信し、前記受電側の制御装置は、前記シャットダウン解除通知を受信したときに、前記充電対象からの放電を停止した状態であるシャットダウン状態を解除する無接点電力伝送システムに関係する。
【００１７】
また本発明の更に他の態様は、送電装置を制御する送電側の制御装置と、前記送電装置から無接点電力伝送で供給された電力を受電する受電装置を制御する受電側の制御装置と、を含む無接点電力伝送システムの制御方法であって、前記送電側の制御装置が、前記受電装置が前記送電装置に着地したことを検出したときに、前記受電側の制御装置にシャットダウン解除通知を送信し、前記受電側の制御装置が、受信した前記シャットダウン解除通知に基づいて、充電対象からの放電を停止した状態であるシャットダウン状態を解除し、前記受電側の制御装置が、前記送電装置から供給された電力を受電し、受電した電力に基づいて前記充電対象の充電を行い、前記充電対象からの電力に基づいて処理装置への給電を行う制御方法に関係する。
【図面の簡単な説明】
【００１８】
【図１】無接点電力伝送により充電されるバッテリーを内蔵した電子機器の意図しないシャットダウン解除を説明する図。
【図２】本実施形態におけるシャットダウン解除の手法を説明する図。
【図３】無接点電力伝送システム、受電装置、及び受電側の制御装置の構成例。
【図４】無接点電力伝送システムの第１動作例を説明する第１タイミングチャート。
【図５】バッテリーが過放電状態であるにも関わらず更に放電される状態を説明するタイミングチャート。
【図６】無接点電力伝送システムの第２動作例を説明する第３タイミングチャート。
【図７】無接点電力伝送システムの第３動作例を説明する第３タイミングチャート。
【図８】受電側の制御装置、放電系回路、給電回路、シャットダウン回路の詳細な構成例。
【発明を実施するための形態】
【００１９】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００２０】
１．本実施形態における制御方法
図１は、無接点電力伝送により充電されるバッテリー９５を内蔵した電子機器５１５の意図しないシャットダウン解除を説明する図である。
【００２１】
図１に示すように、電子機器５１５を出荷する際には電子機器５１５を出荷用の充電器５０５にセットし、電子機器５１５のバッテリー９５を充電する。充電器５０５には、無接点電力伝送により送電を行う送電装置１５が設けられている。電子機器５１５はバッテリー９５と受電装置４５とを含む。受電装置４５は、送電装置１５から送電される電力を受電し、その電力によりバッテリー９５を充電する。また、受電装置４５は、バッテリー９５から受電装置４５及び電子機器５１５への電力供給を制御する。送電装置１５は、上記の送電を行うと共に受電装置４５に対してオフスタートコマンドを送信する。オフスタートコマンドは、取り去り後に受電装置４５をシャットダウン状態に設定させるためのコマンドである。
【００２２】
バッテリー９５の充電が終わると電子機器５１５が充電器５０５から取り去られ、受電装置４５が、着地状態から取り去り状態への変化を検出する。送電装置１５からオフスタートコマンドを受信していた場合、受電装置４５は取り去りを検出した後にシャットダウン状態を設定する。シャットダウン状態は、バッテリー９５の放電経路を遮断した状態であり、例えば、バッテリー９５と、バッテリー９５から電力が供給される回路との間を遮断した状態である。なお、出荷時に受電装置４５をシャットダウン状態に設定する手法はこれに限らず、例えば電子機器５１５に設けられたスイッチ５１６を長押しすることによって受電装置４５をシャットダウン状態に設定してもよい。
【００２３】
電子機器５１５を輸送又は保管している間は、シャットダウン状態が維持される。即ち、再び電子機器５１５に電力が供給される等の解除条件を満たさない限り、シャットダウン状態が解除されない。しかしながら、無接点電力伝送システムの受電装置４５は、電磁誘導によりコイルに発生する起電力を用いて電力を受け取っている。このため、電子機器５１５の輸送又は保管中に、コイルに不要な電波ＦＹＤが入射すると、コイルに起電力が発生する可能性がある。受電装置４５が受電したことをシャットダウン状態の解除条件にしていた場合、電波ＦＹＤによる起電力によってシャットダウン状態が解除されるおそれがある。また、スイッチ５１６が梱包材に当たる等して押されることで、シャットダウン状態が解除されるおそれがある。
【００２４】
このように、無接点電力伝送によりバッテリー９５を充電する電子機器５１５において、本来解除されるべきでないタイミングで意図せずシャットダウン状態が解除されるおそれがある。例えば航空機により電子機器５１５を輸送する際にはバッテリー９５の電池残量に規制がある。このため、意図しないシャットダウン解除によりバッテリー９５の放電が増加すると、バッテリー９５の過放電に至るまでの期間が短くなってしまう。例えば、電子機器５１５を使用する際にバッテリー９５が過放電になっていると、バッテリー９５を充電してもバッテリー９５を使用できないおそれがある。特にワイヤレスイヤホンや補聴器などの小型デバイスではバッテリー容量が小さいため、電池残量の規制を考えると電池残量の管理は重要である。
【００２５】
図２は、本実施形態におけるシャットダウン解除の制御方法を説明する図である。電子機器５１０は、充電対象であるバッテリー９０と、受電装置４０と、を含む。受電装置４０は制御装置５０を含み、制御装置５０は、送電装置１５から送電される電力を受電し、その電力によりバッテリー９０を充電する。また、制御装置５０は、バッテリー９０から受電装置４０及び電子機器５１０への電力供給を制御する。
【００２６】
出荷時における動作は図１と同様である。即ち、制御装置５０は、シャットダウンコマンドを送電装置１５から受信することで、取り去り検出時にシャットダウン状態となる。輸送又は保管の後に、ユーザーが電子機器５１０を充電器５００にセットする。充電器５００は、無接点電力伝送により送電を行う送電装置１０が設けられている。送電装置１０は、送電装置１０を制御する制御装置２０を含んでいる。充電器５００は、ユーザーが電子機器５１０を充電する際に用いるものであり、制御装置２０は受電装置４０に対してオフスタートコマンドを送信しない。以下、受電装置４０の制御装置５０を受電側の制御装置５０とも呼ぶ。また送電装置１０の制御装置２０を送電側の制御装置２０とも呼ぶ。
【００２７】
送電側の制御装置２０は、受電装置４０が送電装置１０に着地したことを検出したときに、受電側の制御装置５０にシャットダウン解除通知を送信する。受電側の制御装置５０は、シャットダウン解除通知を受信したときに、バッテリー９０からの放電を停止した状態であるシャットダウン状態を解除する。受電側の制御装置５０は、送電装置１０から供給された電力を受電し、受電した電力に基づいてバッテリー９０の充電を行い、バッテリー９０からの電力に基づいて処理装置への給電を行う。処理装置は電子機器５１０に内蔵され、電子機器５１０の制御や種々の信号処理を行う装置である。
【００２８】
例えば受電側の制御装置５０は、送電装置１０への着地を検出したとき、認証手続を開始する。送電装置１０は、正しい認証手続が行われたと判断したときにシャットダウン解除通知を送信する。受電側の制御装置５０は、そのシャットダウン解除通知に基づいてシャットダウン状態を解除する。受電装置４０が送電装置１０に着地した状態では受電側の制御装置５０は処理装置への給電をオフにしており、送電装置１０からの取り去りを検出したときに受電側の制御装置５０は処理装置への給電をオンにする。
【００２９】
本実施形態によれば、受電装置４０が送電装置１０からシャットダウン解除通知を受信したことを条件としてシャットダウン状態を解除するので、シャットダウン解除通知を受信しない限りシャットダウン解除されることがない。即ち、輸送又は保管中に受電装置４０のコイルに不要な電波が入射したり、スイッチ５１７が押されたりしても、シャットダウン状態が解除されることがなく、ユーザーが充電器５００に電子機器５１０をセットして初めてシャットダウン状態が解除される。これにより、意図しないシャットダウン解除が生じる可能性を低減でき、バッテリー９０が過放電となる可能性を低減できる。
【００３０】
２．無接点電力伝送システム、受電装置、制御装置
図３は、無接点電力伝送システム２００、受電装置４０、及び受電側の制御装置５０の構成例である。また図３には、送電装置１０及び送電側の制御装置２０の構成例を示す。
【００３１】
無接点電力伝送システムにおける送電側の電子機器は、例えば図２の充電器５００である。送電側の電子機器は、図３の送電装置１０を含む。また無接点電力伝送システムにおける受電側の電子機器は、例えば図２の電子機器５１０である。受電側の電子機器は、図３の受電装置４０とバッテリー９０と処理装置１００を含むことができる。なおバッテリー９０は広義には充電対象である。送電装置１０と受電装置４０により本実施形態の無接点電力伝送システム２００が構成される。
【００３２】
受電側の電子機器としては、補聴器、腕時計、生体情報測定装置、携帯情報端末、コードレス電話器、シェーバー、電動歯ブラシ、リストコンピューター、ハンディターミナル、電気自動車、或いは電動自転車などの種々の電子機器を想定できる。生体情報測定装置は、人体に着用して使用するウェアラブル機器を想定できる。また、携帯情報端末は、例えばスマートフォン、携帯電話機、ヘッドマウントディスプレイ等である。
【００３３】
送電装置１０は、１次コイルＬ１と、送電回路１２と、制御装置２０とを含む。送電装置１０を１次側装置又は１次側モジュールとも呼ぶ。制御装置２０は例えば集積回路装置である。
【００３４】
送電回路１２は、電力伝送時において所定周波数の交流電圧を生成して、１次コイルＬ１に供給する。この送電回路１２は、１次コイルＬ１の一端を駆動する送電ドライバーＤＲ１と、１次コイルＬ１の他端を駆動する送電ドライバーＤＲ２と、を含む。送電ドライバーＤＲ１、ＤＲ２の各々は、例えばパワーＭＯＳトランジスターにより構成されるバッファー回路である。送電ドライバーＤＲ１、ＤＲ２が１次コイルＬ１に交流電圧を印加することで、１次コイルＬ１から２次コイルＬ２に電力が送電される。
【００３５】
１次コイルＬ１は、２次コイルＬ２と電磁結合して電力伝送用トランスを形成する。例えば電力伝送が必要なときには、充電器の上に受電側の電子機器を置き、１次コイルＬ１の磁束が２次コイルＬ２を通るような状態にする。これを着地状態と呼び、取り去り状態から着地状態にすることを着地と呼ぶ。一方、電力伝送が不要なときには、充電器と受電側の電子機器を物理的に離して、１次コイルＬ１の磁束が２次コイルＬ２を通らないような状態にする。これを取り去り状態と呼び、着地状態から取り去り状態にすることを取り去りと呼ぶ。
【００３６】
制御装置２０は、送電側の各種制御を行う。この制御装置２０は、通信回路２２と送電側制御回路２４とを含む。
【００３７】
通信回路２２は、送電装置１０と受電装置４０の間における通信処理を行う。即ち、受電装置４０から送電装置１０への通信データを受信したり、送電装置１０から受電装置４０へ通信データを送信したりする。通信データのやり取りは送電経路を介して行われる。具体的には、受電装置４０が負荷変調を行うと１次コイルＬ１に流れる電流量が変化し、それにより送電ドライバーＤＲ１、ＤＲ２の電源に流れる電流が変化する。通信回路２２は、その電流を電圧に変換する電流電圧変換回路と、その電圧と基準電圧とを比較するコンパレーターとを含む。送電側制御回路２４は、コンパレーターの出力信号に基づいて通信データを取得する。また、通信回路２２は、送電回路１２が１次コイルＬ１を駆動する駆動周波数を通信データに基づいて変化させる。この周波数の変化を受電側で検出することで、送電装置１０から受電装置４０に通信データが送信される。
【００３８】
送電側制御回路２４は、制御装置２０が行う種々の処理を制御する。即ち、送電側制御回路２４は、送電回路１２による電力送電を制御したり、通信回路２２による通信処理を制御したりする。送電側制御回路２４はロジック回路で構成される。
【００３９】
受電装置４０は、２次コイルＬ２と制御装置５０とを含む。受電装置４０を２次側装置又は２次側モジュールとも呼ぶ。制御装置５０は例えば集積回路装置である。
【００４０】
制御装置５０は、受電側の各種制御を行う。制御装置５０は、充電系回路６０と、放電系回路７０を含む。
【００４１】
充電系回路６０は、受電回路６１が受電した電力によって動作する回路であり、受電回路６１が受電しているとき及びバッテリー９０の充電中に動作する。即ち、充電系回路６０の各部は、整流電圧ＶＣＣ又は整流電圧ＶＣＣをレギュレートした電圧に基づいて動作する。充電系回路６０は、送電装置１０から供給された電力を受電し、その受電した電力に基づいてバッテリー９０の充電を行う。充電系回路６０は、受電回路６１、充電系制御回路６３、通信回路６４、充電回路６５、不揮発性メモリー６６、インターフェース回路６７、測定回路６８を含む。
【００４２】
放電系回路７０は、バッテリー９０から供給される電力によって動作する回路であり、バッテリー９０からの電力に基づいて処理装置１００への給電を行う。放電系回路７０の各部は、バッテリー電圧ＶＢＡＴに基づいて動作する。また放電系回路７０は、シャットダウン状態においてはバッテリー９０からの電力供給が遮断されて動作を停止する。放電系回路７０は、給電回路７１、放電系制御回路７３、インターフェース回路７４、レジスター７６、過放電検出回路７８を含む。
【００４３】
受電回路６１は、送電装置１０からの電力を受電する。具体的には受電回路６１は、２次コイルＬ２の交流の誘起電圧を直流の整流電圧ＶＣＣに変換する。この変換は受電回路６１が有する整流回路により行われる。整流回路は、例えば複数のトランジスターやダイオードなどにより実現できる。
【００４４】
充電系制御回路６３は、受電回路６１、通信回路６４、充電回路６５及び不揮発性メモリー６６を制御し、バッテリー９０の充電中に行われる各種の制御処理を実行する。また充電系制御回路６３は、送電装置１０から送信される通信データの受信処理を行う。受電回路６１は、２次コイルＬ２の交流の誘起電圧を矩形波信号に変換するコンパレーターを有する。上述したように、送電装置１０は１次コイルＬ１を駆動する交流電圧の周波数を通信データに基づいて変化させる。充電系回路６０は、例えばカウンター等により矩形波信号の周波数を測定し、その測定結果に基づいて通信データを受信する。充電系制御回路６３は、例えばゲートアレイ等の自動配置配線手法で生成されたロジック回路や、或いはＤＳＰ（Digital Signal Processor）などの各種のプロセッサーにより実現できる。
【００４５】
通信回路６４は、通信データを送電装置１０に送信するための負荷変調を行う。なお通信回路６４を負荷変調回路とも呼ぶ。通信回路６４は、電流源ＩＳとスイッチＳＷとを有する。電流源ＩＳは、整流電圧ＶＣＣのノードＮＶＣから接地ノードへ定電流を流す。スイッチＳＷはトランジスターで構成される。電流源ＩＳとスイッチＳＷは、整流電圧ＶＣＣのノードＮＶＣと接地ノードとの間に直列に設けられる。そして、充電系制御回路６３からの制御信号に基づいてスイッチＳＷがオン又はオフにされ、ノードＮＶＣから接地ノードに流れる定電流をオン又はオフにする。制御信号は通信データに対応した信号である。定電流がオンのときとオフのときとで、送電回路１２から見た負荷が異なる。この負荷の違いを、上述した手法で送電側の通信回路２２が検出することで、受電装置４０から送電装置１０への通信が実現される。
【００４６】
充電回路６５は、バッテリー９０の充電、及びその制御を行う。充電回路６５は、受電回路６１が受電した電力に基づいてバッテリー９０を充電する。即ち、充電回路６５は、整流電圧ＶＣＣに基づく定電流を生成し、その定電流をバッテリー９０の端子に供給することで、バッテリー９０を充電する。
【００４７】
測定回路６８は、バッテリー９０の端子電圧であるバッテリー電圧ＶＢＡＴを測定する回路である。例えば、測定回路６８はＡ／Ｄ変換回路で構成され、或いはバッテリー電圧ＶＢＡＴと基準電圧とを比較するコンパレーターで構成される。測定回路６８は、測定結果を充電系制御回路６３に出力し、充電系制御回路６３は、測定結果に基づく制御を行う。後述するように充電系制御回路６３は放電系回路７０のシャットダウン状態を解除する制御を行う。具体的には、充電系制御回路６３は、送電装置１０からシャットダウン解除通知を受信したとき、及びバッテリー電圧ＶＢＡＴが所与の電圧より高いとき、放電系回路７０のシャットダウン状態を解除する。例えば、充電系制御回路６３は、放電系回路７０のレジスター７６にシャットダウン解除のレジスター値を書き込むことで、シャットダウン状態を解除する。
【００４８】
不揮発性メモリー６６は、各種の情報を記憶する不揮発性のメモリーデバイスである。この不揮発性メモリー６６は、例えば受電装置４０のステータス情報等の各種の情報を記憶する。不揮発性メモリー６６としては、例えばＥＥＰＲＯＭなどを用いることができる。ＥＥＰＲＯＭとしては例えばＭＯＮＯＳ（Metal Oxide Nitride Oxide Silicon）型のメモリーや、フローティングゲート型のメモリーを用いることができる。
【００４９】
給電回路７１は、処理装置１００に対する電力供給を行う。即ち、給電回路７１は、バッテリー９０の放電動作を励起し、バッテリー９０からの電力を処理装置１００に対して供給する。給電回路７１は、バッテリー電圧ＶＢＡＴを出力電圧ＶＯＵＴに変換し、出力電圧ＶＯＵＴを処理装置１００に供給する。また給電回路７１は、バッテリー電圧ＶＢＡＴをレギュレートして、放電系制御回路７３とインターフェース回路７４と過放電検出回路７８の電源を生成する。給電回路７１は、バッテリー９０からの放電経路を遮断するためのシャットダウン回路７５を含む。シャットダウン回路７５は、シャットダウン状態が設定された場合に、バッテリー電圧ＶＢＡＴのノードから放電系回路７０の各部及び処理装置１００への電力供給経路を遮断する。給電回路７１は、例えばチャージポンプ回路や、スイッチングレギュレーター、リニアレギュレーター等で構成できる。シャットダウン回路７５は例えばトランジスター等で構成されるスイッチである。
【００５０】
放電系制御回路７３は、バッテリー９０の放電中に行われる各種の制御処理を実行する。放電系制御回路７３は、給電回路７１、インターフェース回路７４、及び過放電検出回路７８の制御を行う。放電系制御回路７３は、処理装置１００からシャットダウンコマンドを受信したとき、バッテリー９０の過放電が検出されたとき、及びスイッチ５１７の操作によりシャットダウンが指示されたときに、放電系回路７０をシャットダウン状態に設定する。例えば、放電系制御回路７３は、レジスター７６にシャットダウンを指示するレジスター値を書き込むことで、シャットダウン状態を設定する。放電系制御回路７３は、例えばゲートアレイ等の自動配置配線手法で生成されたロジック回路や、或いはＤＳＰなどの各種のプロセッサーにより実現できる。
【００５１】
インターフェース回路７４は、処理装置１００と制御装置５０との間の情報の送受信に用いられるインターフェースである。送受信される情報は、例えばデータやコマンド等である。インターフェース回路７４として、種々のインターフェース方式の回路を採用できるが、例えばＳＰＩ（Serial Peripheral Interface）方式や、或いはＩ２Ｃ（Inter Integrated Circuit）方式のインターフェース回路を採用できる。また、インターフェース回路７４は、処理装置１００に対して割り込み信号を送信する割り込み回路を含んでもよい。
【００５２】
過放電検出回路７８は、バッテリー９０の過放電を検出する。具体的には、過放電検出回路７８は、バッテリー電圧ＶＢＡＴをモニターし、バッテリー電圧ＶＢＡＴが過放電検出電圧より低い場合に、バッテリー９０が過放電状態であると判定し、その判定結果を放電系制御回路７３に出力する。過放電検出回路７８は、例えばバッテリー電圧ＶＢＡＴと過放電検出電圧とを比較するコンパレーターである。過放電検出電圧は、過放電を検出するための基準電圧である。
【００５３】
バッテリー９０は例えば充電可能な二次電池であり、例えばリチウム電池やニッケル電池等である。リチウム電池は、リチウムイオン二次電池、又はリチウムイオンポリマー二次電池等である。ニッケル電池は、ニッケル−水素蓄電池、又はニッケル−カドミウム蓄電池等である。
【００５４】
処理装置１００は、受電装置４０を内蔵する電子機器に設けられ、バッテリー９０から電力が供給される電力供給対象である。処理装置１００は、例えば集積回路装置等であり、例えばＤＳＰやマイクロプロセッサー、マイクロコントローラー、ＣＰＵ等のプロセッサーである。
【００５５】
図４は、無接点電力伝送システム２００の第１動作例を説明する第１タイミングチャートである。
【００５６】
駆動電圧は、送電回路１２が１次コイルＬ１を駆動する交流電圧の振幅である。受電装置４０が送電装置１０に着地していないとき、送電装置１０及び受電装置４０は着地検出を行っている。このとき、送電回路１２は間欠的に１次コイルＬ１を駆動している。受電装置４０を送電装置１０に着地させようとして、１次コイルＬ１と２次コイルＬ２が接近していくと、受電回路６１が出力する整流電圧ＶＣＣが上がっていく。整流電圧ＶＣＣは、送電回路１２が間欠的に送電するのに合わせて、間欠的に発生している。
【００５７】
充電系回路６０は、整流電圧ＶＣＣをＡ／Ｄ変換するＡ／Ｄ変換回路を有しており、充電系制御回路６３は、整流電圧ＶＣＣが着地検出電圧ＶＳＴを超えた場合に通信回路６４に負荷変調を開始させる。送電装置１０の通信回路２２が負荷変調を検出すると、送電側制御回路２４は送電回路１２に連続送電を開始させる。充電系制御回路６３は、認証情報ＩＤを負荷変調により送電装置１０へ送信させる。認証情報ＩＤは、受電側の制御装置５０を送電側の制御装置２０に認証させるための情報であり、例えば識別データである。送電側制御回路２４は、認証情報ＩＤの認証処理を行い、受電側の制御装置５０を認証した場合には通信回路２２から受電装置４０へシャットダウン解除通知ＪＦを送信させる。なお、充電系制御回路６３は認証情報ＩＤを繰り返し送信してもよく、送電側制御回路２４は、認証情報ＩＤの受信を複数回確認できたときに、シャットダウン解除通知ＪＦを送信してもよい。
【００５８】
なお、整流電圧ＶＣＣをＡ／Ｄ変換するＡ／Ｄ変換回路は測定回路６８と共通のＡ／Ｄ変換回路であってもよい。
【００５９】
充電系制御回路６３は、シャットダウン解除通知ＪＦを受信した場合、充電制御信号をアクティブにする。例えば図４ではハイレベルがアクティブに対応する。充電回路６５は、充電制御信号がアクティブである場合にバッテリー９０への充電を行う。また充電系制御回路６３は、シャットダウン信号を出力し、レジスター７６がシャットダウン信号を保持する。図４の例では、ハイレベルのシャットダウン信号はシャットダウン状態を表し、ローレベルのシャットダウン信号はシャットダウン解除状態を表す。
【００６０】
以上の実施形態によれば、充電系制御回路６３は、受電装置４０が送電装置１０に着地した後に送電装置１０から送信されるシャットダウン解除通知を受信する。そして、充電系制御回路６３は、受信したシャットダウン解除通知に基づいて、バッテリー９０（充電対象）からの放電を停止した状態であるシャットダウン状態を解除する。
【００６１】
本実施形態によれば、受電装置４０が送電装置１０からシャットダウン解除通知を受信したことを条件としてシャットダウン状態が解除される。これにより、受電側の電子機器が充電器にセットされ、受電装置４０がシャットダウン解除通知を受信しない限り、シャットダウン解除されない。即ち、電子機器の輸送又は保管中にバッテリー９０が過放電になる可能性を低減できる。
【００６２】
例えば接点式の充電システムにおいて、バッテリーを充電する充電回路に所定電圧が入力されたことを条件にシャットダウン解除を行う場合がある。この例を仮に本実施形態に適用すると、整流電圧ＶＣＣが所定電圧となったことを条件にシャットダウン解除することになる。しかし、図１で説明したように、１次コイルＬ１以外の電波発生源から２次コイルＬ２に電波が入射すると整流電圧ＶＣＣが上昇し、シャットダウン解除されるおそれがある。本実施形態によれば、シャットダウン解除通知の受信が条件となっているため、整流電圧ＶＣＣが上昇したとしてもシャットダウン解除されることがない。
【００６３】
また本実施形態では、通信回路６４は、受電装置４０が送電装置１０に着地した後に、送電装置１０に対して認証情報ＩＤを送信する。充電系制御回路６３は、送電装置１０が認証情報ＩＤの受信後に送信したシャットダウン解除通知を受信する。シャットダウン解除通知は、送電装置１０が認証情報ＩＤに対する応答として送信した通知である。
【００６４】
本実施形態によれば、受電装置４０と送電装置１０との間で認証処理が行われたことを条件にシャットダウン状態を解除できる。具体的には、送電装置１０が認証情報ＩＤに基づいて受電装置４０を認証し、その認証の結果としてシャットダウン解除通知を受電装置４０に送信し、そのシャットダウン解除通知を受電装置４０が受信することで、シャットダウン解除される。これにより、受電装置４０を内蔵する電子機器が、送電装置１０を内蔵する充電器にセットされ、認証が行われない限り、シャットダウンが解除されることがない。
【００６５】
なお、シャットダウン解除通知は、シャットダウンの解除そのものを指示する情報である必要はない。即ち、認証処理においてやりとりされる一連の情報のうち、送電装置１０から受電装置４０へ送信される情報をシャットダウン解除通知として用いてもよい。
【００６６】
例えば、充電系制御回路６３は、送電装置１０が認証情報の受信後に送信した充電開始通知を受信したときに、充電開始通知をシャットダウン解除通知としてシャットダウン状態を解除し、バッテリー９０に対する充電を開始する制御を行う。充電開始通知は、送電装置１０が認証情報ＩＤに対する応答として送信した通知である。図４のシャットダウン解除通知ＪＦは充電開始通知であり、充電系制御回路６３は、シャットダウン解除通知ＪＦを受信すると充電制御信号を非アクティブからアクティブに変化させることで、充電回路６５に充電を開始させると共に、バッテリー９０からの放電を停止した状態であるシャットダウン状態を解除する。
【００６７】
このようにすれば、送電装置１０が受電装置４０を認証した場合に送電装置１０が受電装置４０に送信する充電開始通知を、シャットダウン解除通知として兼用できる。充電開始通知は認証が終了したことを示す通知でもあるので、認証を条件としてシャットダウン状態を解除することができる。
【００６８】
３．第２の動作例、第３の動作例
図５は、バッテリー９０が過放電状態となった後も更に放電される状態を説明するタイミングチャートである。図５は本実施形態の動作を示すものではなく、仮に整流電圧ＶＣＣの電圧値を条件としてシャットダウン解除した場合の動作を示すものである。
【００６９】
受電装置４０は、例えば充電電流の過電流やバッテリー９０の端子短絡等を検出した際には、バッテリー９０への充電を停止し、負荷変調により送電装置１０へ充電エラーを通知する。送電装置１０は、充電エラーの通知を受けた場合、連続送電から取り去り検出へ移行する。取り去り検出では送電装置１０は間欠送電を行う。間欠送電では、送電期間と非送電期間が繰り返される。送電期間では、受電回路６１が出力する整流電圧ＶＣＣが一次的に上昇する。仮に整流電圧ＶＣＣが判定電圧ＶＳＫを超えたことを条件としてシャットダウン解除を行った場合、送電期間においてＶＣＣ＞ＶＳＫとなるとシャットダウン信号がローレベルとなりシャットダウン解除されてしまう。非送電期間ではＶＣＣ＜ＶＳＫとなるので再びシャットダウン信号がハイレベルとなってシャットダウン状態となり、取り去り検出が行われている間、シャットダウン解除とシャットダウン状態とを繰り返すことになる。間欠送電の送電期間においてシャットダウンが解除されているとき、バッテリー９０からの放電が許可されるので、バッテリー９０が放電を繰り返す状態となってしまう。バッテリー９０が放電を繰り返すと過放電状態となるおそれがあるが、間欠送電によってシャットダウン解除が繰り返されると、過放電状態から更に放電が進んでしまう。
【００７０】
図６は、無接点電力伝送システム２００の第２動作例を説明する第２タイミングチャートである。
【００７１】
図６に示すように、整流電圧ＶＣＣが着地検出電圧ＶＳＴを超えており、送電装置１０が連続送電を行っているとする。バッテリー電圧ＶＢＡＴが過放電検出電圧ＶＫＨより低い状態から開始し、シャットダウン信号が、シャットダウンを指示するハイレベルとなっているとする。
【００７２】
本実施形態では、整流電圧ＶＣＣの電圧値を条件にシャットダウン状態を解除せず、バッテリー電圧ＶＢＡＴの電圧値を条件にシャットダウン状態を解除する。具体的には、連続送電により供給される電力に基づいて充電回路６５がバッテリー９０を充電することでバッテリー電圧ＶＢＡＴが徐々に上昇していく。測定回路６８は、バッテリー電圧ＶＢＡＴとしきい値電圧Ｖｔｈとを比較し、その比較結果を充電系制御回路６３に出力する。充電系制御回路６３は、バッテリー電圧ＶＢＡＴがしきい値電圧Ｖｔｈより高いと判定したときに、シャットダウン信号をハイレベルからローレベルに変化させる。しきい値電圧Ｖｔｈは、バッテリー９０の過放電状態に対応した電圧であり、バッテリー９０が過放電状態から脱したこと示す電圧である。ローレベルのシャットダウン信号がレジスター７６に保持されると、シャットダウン回路７５がシャットダウン状態を解除する。
【００７３】
本実施形態によれば、充電系制御回路６３は、測定回路６８により測定されたバッテリー電圧ＶＢＡＴがしきい値電圧Ｖｔｈより高いときに、シャットダウン状態を解除する。これにより、間欠送電或いは連続送電によって受電装置４０が送電装置１０から電力を受電しただけではシャットダウン解除が行われない。このため、図５で説明したような過放電状態のバッテリー９０が更に放電する状況を防ぐことができる。
【００７４】
また本実施形態では、過放電検出回路７８は、バッテリー電圧ＶＢＡＴ（充電対象の電圧）と、バッテリー９０（充電対象）の過放電を検出する過放電検出電圧ＶＫＨとを比較することで、バッテリー９０の過放電状態を検出する。放電系制御回路７３は、過放電検出回路７８が過放電状態を検出したときに放電系回路７０をシャットダウン状態に設定する。このとき、しきい値電圧Ｖｔｈは、過放電検出電圧ＶＫＨよりも高い電圧である。
【００７５】
このようにすれば、過放電検出の条件と、シャットダウン解除の条件との間にヒステリシスをもたすことができる。即ち、バッテリー電圧ＶＢＡＴが下がっていくときには、ＶＫＨ＜Ｖｔｈである過放電検出電圧ＶＫＨをバッテリー電圧ＶＢＡＴが下回ったときに過放電が検出され、シャットダウン状態に設定される。一方、バッテリー電圧ＶＢＡＴが上がっていくときには、Ｖｔｈ＞ＶＫＨであるしきい値電圧Ｖｔｈをバッテリー電圧ＶＢＡＴが上回ったときにシャットダウン解除される。
【００７６】
なお、バッテリー電圧ＶＢＡＴがしきい値電圧Ｖｔｈを超えた後に、バッテリー９０を充電しているにも関わらずバッテリー電圧ＶＢＡＴが再び過放電検出電圧ＶＫＨを下回った場合、放電系制御回路７３はバッテリーエラーと判定する。このバッテリーエラーが生じた場合、放電系制御回路７３はシャットダウン状態を設定し、以後はシャットダウン状態を解除しない。
【００７７】
図７は、無接点電力伝送システム２００の第３動作例を説明する第３タイミングチャートである。着地が検出され、送電装置１０がシャットダウン解除通知ＪＦ（充電開始通知）を受電装置４０に送信するまでの動作は、第１動作例と同じである。
【００７８】
第３動作例では、充電系制御回路６３は、シャットダウン解除通知ＪＦを受信し、且つ測定回路６８により測定されたバッテリー電圧ＶＢＡＴがしきい値電圧Ｖｔｈより高いときに、シャットダウン状態を解除する。即ち、充電系制御回路６３は、送電装置１０からシャットダウン解除通知ＪＦを受信したとき、充電系制御信号をアクティブにして充電回路６５にバッテリー９０への充電を開始させる。このとき、バッテリー電圧ＶＢＡＴがしきい値電圧Ｖｔｈより低い場合には、充電系制御回路６３はシャットダウン信号を、シャットダウン状態を指示するハイレベルに維持する。そして、バッテリー電圧ＶＢＡＴがしきい値電圧Ｖｔｈより高くなったときに、充電系制御回路６３はシャットダウン信号を、シャットダウン解除を指示するローレベルに変化させる。
【００７９】
本実施形態によれば、受電装置４０が送電装置１０に認証され、且つバッテリー９０が過放電状態を脱したことを確認できたときに、シャットダウン状態を解除できる。いずれかの条件が満たされないときにはシャットダウン解除されないので、シャットダウン状態の管理をより確実に行うことができる。即ち、受電側の電子機器を輸送又は保管している際にシャットダウン状態を維持すると共に、バッテリー９０が過放電状態から更に放電してしまわないようにできる。
【００８０】
また本実施形態では、放電系回路７０は、処理装置１００との間の通信を行うインターフェース回路７４を有する。放電系制御回路７３は、インターフェース回路７４が処理装置１００からシャットダウンコマンドを受信したときに放電系回路７０をシャットダウン状態に設定する。例えば処理装置１００は、バッテリー異常などの何らかのエラーを検出した場合に、シャットダウンコマンドを受電側の制御装置５０に対して発行し、インターフェース回路７４を介してレジスター７６に、シャットダウンを指示するレジスター値を書き込む。又は、放電系制御回路７３は、充電系制御回路６３が送電装置１０からシャットダウンコマンドを受信したときに放電系回路７０をシャットダウン状態に設定する。充電系制御回路６３がシャットダウンコマンドを受信すると、シャットダウンを指示するレジスター値をレジスター７６に書き込む。又は、放電系制御回路７３は、過放電検出回路７８が過放電状態を検出したときに放電系回路７０をシャットダウン状態に設定する。
【００８１】
本実施形態によれば、複数の条件のいずれかが満たされることによってシャットダウン状態が設定される。本実施形態では、充電系制御回路６３がシャットダウン解除通知ＪＦを受信し、且つ測定回路６８により測定されたバッテリー電圧ＶＢＡＴがしきい値電圧Ｖｔｈより高いときに、上記の条件で設定されたシャットダウン状態が解除される。これにより、どのような条件でシャットダウン状態が設定された場合であっても、意図しないシャットダウン解除を避けることができる。また、バッテリー９０の過放電状態から更に放電が行われることを避けることができる。
【００８２】
４．受電側の制御装置、放電系回路、給電回路、シャットダウン回路
図８は、受電側の制御装置５０、放電系回路７０、給電回路７１、シャットダウン回路７５の詳細な構成例である。なお、図３で説明した構成要素と同一の構成要素には同一の符号を付し、その構成要素についての説明を適宜に省略する。
【００８３】
図８では、給電回路７１がシャットダウン回路７５とレギュレーター７２とチャージポンプ回路７７とを含む。またシャットダウン回路７５がスイッチＳＷＳＤを含む。スイッチＳＷＳＤはトランジスターで構成される。またレジスター７６がシャットダウン設定レジスター７９を含む。
【００８４】
スイッチＳＷＳＤは、バッテリー電圧ＶＢＡＴのノードとノードＮＤＧとの間に接続され、シャットダウン設定レジスター７９のレジスター値によりオン又はオフに制御される。ノードＮＤＧは、レギュレーター７２、チャージポンプ回路７７、及び過放電検出回路７８の電源ノードである。スイッチＳＷＳＤがオンのとき、レギュレーター７２は、例えば不図示の発振回路に供給する電源を、バッテリー電圧ＶＢＡＴに基づいて生成する。不図示の発振回路は、放電系制御回路７３の動作クロックを生成する回路である。またスイッチＳＷＳＤがオンのとき、過放電検出回路７８にバッテリー電圧ＶＢＡＴが供給される。またスイッチＳＷＳＤがオンであり、且つ処理装置１００への給電動作がオンであるとき、チャージポンプ回路７７はバッテリー電圧ＶＢＡＴに基づいて出力電圧ＶＯＵＴを処理装置１００へ供給する。
【００８５】
充電系制御回路６３及び放電系制御回路７３は、シャットダウン状態を設定するとき、シャットダウン設定レジスター７９に対して、シャットダウンを指示するレジスター値を書き込む。このレジスター値が設定されると、スイッチＳＷＳＤがオフになる。スイッチＳＷＳＤがオフになると、過放電検出回路７８、レギュレーター７２、及びチャージポンプ回路７７へのバッテリー電圧ＶＢＡＴの供給が遮断され、シャットダウン状態となる。また、シャットダウンを指示するレジスター値がシャットダウン設定レジスター７９に設定されると、放電系制御回路７３が動作を停止し、シャットダウン状態となる。
【００８６】
なお、シャットダウン回路７５の構成は図８に限定されない。例えば、スイッチＳＷＳＤを独立に設けるのではなく、過放電検出回路７８、レギュレーター７２、及びチャージポンプ回路７７の各々の内部でシャットダウンを行ってもよい。例えば過放電検出回路７８のコンパレーターのバイアス電流をオフにしたり、レギュレーター７２のアンプ回路のバイアス電流をオフにしたり、チャージポンプ回路７７のスイッチを全てオフにしたりすればよい。
【００８７】
以上のようにしてシャットダウン状態においてバッテリー９０からの放電経路を遮断できる。これにより、バッテリー９０からの放電は自然放電と、わずかなリーク電流のみとなり、バッテリー９０が過放電に至るまでの期間を長くできる。
【００８８】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また本実施形態及び変形例の全ての組み合わせも、本発明の範囲に含まれる。また受電側の制御装置、受電装置、送電側の制御装置、送電装置、無接点電力伝送システム、電子機器の構成及び動作等も、本実施形態で説明したものに限定されず、種々の変形実施が可能である。
【符号の説明】
【００８９】
１０…送電装置、１２…送電回路、２０…制御装置、２２…通信回路、２４…送電側制御回路、４０…受電装置、５０…制御装置、６０…充電系回路、６１…受電回路、６３…充電系制御回路、６４…通信回路、６５…充電回路、６６…不揮発性メモリー、６７…インターフェース回路、６８…測定回路、７０…放電系回路、７１…給電回路、７２…レギュレーター、７３…放電系制御回路、７４…インターフェース回路、７５…シャットダウン回路、７６…レジスター、７７…チャージポンプ回路、７８…過放電検出回路、７９…シャットダウン設定レジスター、９０…バッテリー、１００…処理装置、２００…無接点電力伝送システム、５００…充電器、５１０…電子機器、５１７…スイッチ、ＤＲ１，ＤＲ２…送電ドライバー、ＦＹＤ…電波、ＩＳ…電流源、ＪＦ…シャットダウン解除通知、Ｌ１…１次コイル、Ｌ２…２次コイル、ＳＷ…スイッチ、ＳＷＳＤ…スイッチ、ＶＢＡＴ…バッテリー電圧、ＶＣＣ…整流電圧、ＶＫＨ…過放電検出電圧、Ｖｔｈ…しきい値電圧
【図１】
2019170063.tif 000003
【図２】
2019170063.tif 000004
【図３】
2019170063.tif 000005
【図４】
2019170063.tif 000006
【図５】
2019170063.tif 000007
【図６】
2019170063.tif 000008
【図７】
2019170063.tif 000009
【図８】
2019170063.tif 000010